(57)【要約】【課題】  複数サイズの電池を装填可能とする懐中電灯を提供する。【解決手段】  電池収容ケース５内に電池装填筒１０を配設し、所定の最大サイズとする単一形乾電池１より小さいサイズの単二形電池２又は単三形乾電池３を装填するときには、電池装填筒１０の内筒２１に電池保持片を突出させて電池を中心位置に保持する直径変化対応手段を設けると共に、装填した電池の高さ変化に応じて負極接触端子１５の位置を移動させる高さ変化対応手段を設ける。【選択図】  図１
2007005113.tif 000002
【特許請求の範囲】
【請求項１】
円筒形の両端に正極、負極をそれぞれ外部露出させてなる電池を１個又は複数個収容する電池収容ケースと、この電池収容ケースに連結して少なくとも発光器を設けた投光ケースと、電池と発光器との間をスイッチを介して電気的に接続する接続手段とを備えてなる懐中電灯であって、
前記電池収容ケースは、直径及び高さが任意の最大サイズの電池を所定個数収容できる容積に形成され、前記最大サイズ電池より直径が小さい電池に対応して電池を所定位置に保持する電池保持部材の保持位置を移動させる直径変化対応手段と、前記接続手段を構成する接触部材の正極又は負極との接触位置を最大サイズ電池より高さが小さい電池の装填に応じて切り換える高さ変化対応手段とが設けられてなることを特徴とする懐中電灯。
【請求項２】
所定個数の電池を収容して電池収容ケース内への電池装填を行う電池装填筒を設け、この電池装填筒に直径変化対応手段及び高さ変化対応手段が設けられてなる請求項１に記載の懐中電灯。
【請求項３】
電池収容ケースに直径変化対応手段が設けられ、接続手段に高さ変化対応手段が設けられてなる請求項１に記載の懐中電灯。
【請求項４】
高さ変化対応手段は、任意の最小サイズの電池に対応する接触位置にある接触部材が前記最小サイズ電池の高さ寸法より大きい電池の装填に応じて摺動移動するように構成されてなる請求項１に記載の懐中電灯。
【請求項５】
高さ変化対応手段は、任意の最大サイズの電池に対応する接触位置にある最大サイズ電池接触部材と、前記最大サイズ電池の高さ寸法より小さい電池に対応する接触位置に待機位置から立ち上げ可能に設けられた小サイズ電池接触部材とにより構成されてなる請求項１に記載の懐中電灯。
【請求項６】
直径変化対応手段は、電池を収容する筒状体の中心方向に対する電池保持部材の突出量を電池の直径に応じて変更するように構成されてなる請求項１に記載の懐中電灯。
【発明の詳細な説明】
【技術分野】
【０００１】
本発明は、電池を電源として照明光を出力する懐中電灯に係り、特に非常用に好適な懐中電灯に関するものである。
【背景技術】
【０００２】
懐中電灯は、１又は複数の乾電池を外装ケースに収容し、外装ケースの一端に設けられた反射鏡の中心に配置された小形電球にスイッチを介して乾電池を接続した形態のものが一般的である。懐中電灯は単一形乾電池を複数個用いて強力な照明光を出力する大形のタイプから単三形〜単五形の乾電池を１本用いたペンライトタイプのものまで様々な形態のものが存在するが、基本的な構成は、電池の収容部と、小形電球と反射鏡とを備えた投光部と、電池と小形電球とをスイッチを介して接続する電気的接続部とを備えた共通の構造である。即ち、構造的には略同一であるが、その電源として用いる電池のサイズや種類毎に懐中電灯の種類が決定される。
【０００３】
従って、使用している懐中電灯に電池切れが生じたときには、その懐中電灯に対応する電池に交換することになる。単一形乾電池を用いた懐中電灯は、一般には災害時や停電時など緊急の照明としての意味合いが強く、電池切れが生じた際に、その懐中電灯に対応する予備電池の備えがない場合には、その懐中電灯は使用できなくなり、停電等が伴って他に照明が存在しない場合には困った状態に陥る。このとき、手元にある単二形や単三形の乾電池を単一形乾電池を使用する懐中電灯に使用できると、応急の照明を確保できる。中でも単三形の乾電池は小形でリモコンや携帯電子機器などに適用するのに充分な電池容量をもっているため、その使用量は乾電池の中でも群を抜いている。そのため、単三形乾電池は１０個単位や２０個単位などで販売され、家庭や会社などでも予備電池としてストックされていことが多い。もし、この単三形の乾電池を単一形の乾電池を使用する懐中電灯に装填することが可能であると、単一形乾電池に電池切れが生じたときの急場を凌ぐことができる。
【０００４】
単一形乾電池を装填できるように電池装填室が形成されている懐中電灯に、単二形又は単三形の乾電池を装填しようとするとき、考えられるのは単三形又は単二形の乾電池の外形寸法を単一形乾電池の外形寸法に変換することができる電池アダプタの存在である。この電池アダプタは、単三形又は単二形の乾電池を収容して外形寸法が単一形乾電池のサイズとなり、単一形乾電池と同一位置に正極、負極の端子が露出するように構成されている。この電池アダプタが手元にあると、単三形又は単二形の乾電池を電池アダプタに装填して外形は単一乾電池に変身させ、それを懐中電灯に装填すると、単一形乾電池を使用する懐中電灯に単三形又は単二形の乾電池を装填することが可能である。
【０００５】
しかし、緊急時に電池アダプタに単三形又は単二形の乾電池を装填できるようにするには、常に決まった場所に所要数の電池アダプタと単三形又は単二形の乾電池を準備できている必要がある。緊急時に電池アダプタを探さなければならないようでは、緊急時の対応は難しいものとなる。よって、懐中電灯そのものに複数サイズの乾電池を装填することができる機能を備えることが最善の対策となる。このような複数サイズの乾電池の装填を可能にした懐中電灯として、複数サイズの乾電池を各々装填する電池装着部を設けた懐中電灯が知られている（特許文献１参照）。
【０００６】
この複数サイズの電池を使用可能にした懐中電灯は、図７に示すように、複数サイズの電池それぞれに対応する電池装着部１０１ｃが多段的に設けられ、各多段面に対向して一対の共通導体部１０１ｂを配置した少なくとも１個の電池ボックス１０１と、この電池ボックス１０１の一端側に一体に装着され、前記共通導体部１０１ｂに電気的に接続される光源１０３及びその反射体１０４を備えた光源ホルダ１０５と、電池ボックス１０１の他端側に装着されて光源１０３に対する電気的接続回路を開閉するスイッチ１０６ｃを備えたスイッチボックス１０６とを備えて構成されている。
【０００７】
前記電池ボックス１０１には、直径、高さが異なる単一形から単五形の乾電池を収容する専用の収容空間が設けられ、各サイズの乾電池の高さ寸法に対応する段差を形成して電池装着部１０１ｃと共通導体部１０１ｂとが対向しているので、任意サイズの乾電池を並列に装填可能としている。光源１０３の点灯電圧に対応する電圧を得るには、図示するように電池ボックス１０１を所要数連結して、所要数の乾電池を直列接続することにより所要電圧が得られるとしている。
【特許文献１】特開２０００−０４０４０２号公報
【発明の開示】
【発明が解決しようとする課題】
【０００８】
上記従来技術においては、電池ボックス１０１、光源ホルダ１０５及びスイッチボックスが互いに着脱可能に連結する構造で、複数個の電池を直列に接続するには複数の電池ボックス１０１を連結するので自由度は高いといえるものの、１つの懐中電灯として取り扱う際の強度が得られか疑問であり、徒に大形化して扱い難い懐中電灯となってしまう課題がある。
【０００９】
また、各サイズの乾電池を１つの電池ボックス１０１に並列に装填することが可能としているため、電池容量が極端に異なる乾電池が並列に接続される恐れがあり、消耗が早い小形サイズの乾電池は大形サイズの乾電池に比して出力電圧が急速に減少するため、電池電圧の減少が少ない大形の乾電池からの電流が流れ込み、消耗した乾電池を充電する状態になりやすく、充電された小形の乾電池に発熱や漏液が発生する恐れがある。
【００１０】
本発明が目的とするところは、一般的な構造の懐中電灯に異なる複数サイズの電池の装填を可能にする構造を備えた懐中電灯を提供することにある。
【課題を解決するための手段】
【００１１】
上記目的を達成するための本発明は、円筒形の両端に正極、負極をそれぞれ外部露出させてなる電池を１個又は複数個収容する電池収容ケースと、この電池収容ケースに連結して少なくとも発光器を設けた投光ケースと、電池と発光器との間をスイッチを介して電気的に接続する接続手段とを備えてなる懐中電灯であって、前記電池収容ケースは、直径及び高さが任意の最大サイズの電池を任意個数収容できる容積に形成され、最大サイズ電池より直径が小さい電池に対応して電池を所定位置に保持する電池保持部材の保持位置を移動させる直径変化対応手段と、前記接続手段を構成する接触部材の正極又は負極との接触位置を最大サイズ電池より高さが小さい電池の装填に応じて切り換える高さ変化対応手段とが設けられてなることを特徴とする。
【００１２】
上記構成によれば、任意の最大サイズの電池を使用する懐中電灯において、最大サイズ電池に電池切れが生じたとき、手元にある最大サイズ電池より小さいサイズの電池のサイズに対応して直径変化対応手段と高さ変化対応手段とを切り換えることにより、最大サイズ電池より小さいサイズの電池の装填が可能となり、災害などの緊急時などにおいて最大サイズ電池の電池切れによって懐中電灯の使用が不可能になる事態を回避できる。
【００１３】
上記構成において、所定個数の電池を収容して電池収容ケース内への電池装填を行う電池装填筒を設け、この電池装填筒に直径変化対応手段及び高さ変化対応手段を設けることにより、電池装填筒を電池収容ケース内に挿入して複数サイズの電池を装填することを可能とした懐中電灯に構成することができる。
【００１４】
また、電池収容ケースに直径変化対応手段を設けられ、接続手段に高さ変化対応手段を設けることにより、複数サイズの電池を装填することを可能とした懐中電灯に構成することができる。
【００１５】
上記高さ変化対応手段は、任意の最小サイズの電池に対応する接触位置にある接触部材が前記最小サイズ電池の高さ寸法より大きい電池の装填に応じて摺動移動するように構成することにより、電池の高さ変化に容易に対応させることができる。
【００１６】
また、高さ変化対応手段は、任意の最大サイズの電池に対応する接触位置にある最大サイズ電池接触部材と、前記最大サイズ電池の高さ寸法より小さい電池に対応する接触位置に待機位置から立ち上げ可能に設けられた小サイズ電池接触部材とにより構成することにより、電池の高さ変化に応じて接触位置を変更することができる。
【００１７】
また、直径変化対応手段は、電池を収容する筒状体の中心方向に対する電池保持部材の突出量を電池の直径に応じて変更するように構成することにより、直径が異なる電池を筒状体の中心位置に保持することができる。
【発明の効果】
【００１８】
本発明に係る懐中電灯は複数サイズの電池を装填することができるので、その懐中電灯に使用できる最大サイズの電池に電池切れが生じたとき手元にある異なるサイズの電池を装填して応急の照明を確保することができる。懐中電灯は一般的には乾電池を使用し、懐中電灯の種類によって使用する乾電池のサイズが異なるが、例えば、単一形乾電池を用いる懐中電灯に電池切れが生じても、使用量が多く予備電池としてストックされていることが多い単三形の乾電池が装填できるので、応急の照明を確保することが可能になる。
【発明を実施するための最良の形態】
【００１９】
本実施形態は、単一形乾電池を使用する懐中電灯の例を示すもので、単一形乾電池に電池切れが生じて交換用の単一形乾電池がないとき、手元にある単二形又は単三形の乾電池を装填することを可能として、災害時などの緊急時の照明を確保できるようにしている。市販されている乾電池は単一形から単五形まで存在するので、単一形乾電池に代えて単四形や単五形の乾電池も応急に使用できるように構成することも可能であるが、単四形や単五形の乾電池が手元にストックされていることは少なく、単一形乾電池を使用する懐中電灯に使用しても短時間で消耗して応急処置といえども代替え電池としての利用価値は少ないため、ストックされている度合いが高く実用的な電池容量を有する単三形又は単二形の乾電池を単一形乾電池に代えて装填できるようにしている。
【００２０】
図１は、実施形態に係る懐中電灯Ａの構成を示すもので、有底円筒形に形成されて２個の単一形乾電池１を収容保持する電池収容ケース５と、正面部を透明な投光レンズ１３で被覆した中に反射鏡１１とその中心位置に小形電球（発光器）１２を配して前記電池収容ケース５の開口部に螺合する投光ケース６と、電池収容ケース５内に配設され、一端に２個直列配置された単一形乾電池１の後端側の負極に接触する負極接触端子１５を設け、他端にスイッチ接点１６を設けた接続板（接続手段）７とを備えて構成され、前記スイッチ接点１６は、電池収容ケース５に設けられたスイッチノブ１４をスライドさせることにより、前記小形電球１２をその口金周端子で保持する金属製の電球保持部材１７に接触する状態と、接触が離れる状態とに切り換えることができる。
【００２１】
電池収容ケース５から投光ケース６を離脱させて電池収容ケース５を開口し、電池収容ケース５内に配設された電池装填筒１０に２個の単一形乾電池１を直列に装填し、電池収容ケース５に投光ケース６を螺合させると、投光ケース６に取り付けられた小形電球１２の口金中央端子は単一乾電池１の正極に接触し、前記接続板７の負極接触端子１５は単一乾電池１の負極に接触した状態になる。スイッチノブ１４をスライドさせて前記スイッチ接点１６が電球保持部材１７に接触するスイッチオン状態にすると、単一形乾電池１と小形電球１２とを電気的に接続する回路が閉じられて小形電球１２は点灯する。スイッチノブ１４を逆方向にスライドさせて前記スイッチ接点１６が電球保持部材１７から離れるスイッチオフ状態にすると、単一形乾電池１と小形電球１２とを電気的に接続する回路が開いて小形電球１２は消灯する。
【００２２】
このような単一形乾電池１を使用する懐中電灯Ａは、明るい照明光が得られ点灯時間も比較的長く維持できるので、災害などにより停電が生じた場合や、夜道を歩いたり暗い中で探しものをしたりする緊急時の使用、アウトドアレジャーにおける主照明などとして用いられることが多い。従って、この懐中電灯Ａの単一形乾電池１が消耗して電池切れになると、他に照明光がない状態では困窮する事態に陥る。このとき、交換用の単一形乾電池１があれば速やかに照明を取り戻せるが、手元に交換用の単一形乾電池１がない場合に、単二形あるいは単三形の乾電池を装填することができると、応急の照明を確保することができる。単三形の乾電池は、それを使用する機器が多いため、１０個以上のパックで販売されていることが多く、交換用電池としてストックされていることが少なくない。
【００２３】
従来の懐中電灯は使用する乾電池のサイズによって品種が決定され、決められたサイズの乾電池しか使用できない。即ち、上記懐中電灯Ａのように単一形乾電池１を使用する懐中電灯Ａに電池切れが生じたら交換用の単一形乾電池１がなければ懐中電灯Ａは使用不可能に陥る。単二形乾電池を使用する懐中電灯あるいは単三形乾電池を使用する懐中電灯でも同じである。従って、その懐中電灯に決められたサイズの電池を最大サイズ電池として、その電池が電池切れになったとき、前記最大サイズ電池より小さいサイズの電池を装填することができる構造を備えていれば応急の照明を確保でき、特に災害など緊急時に役立つ懐中電灯に構成することができる。上記懐中電灯Ａは、市販されている最大サイズの乾電池である単一形乾電池１を使用するように構成されているので、単一形乾電池１より小さい単二形又は単三形の乾電池も装填して小形電球１２を点灯できる構造を設けることにより、単一形乾電池１が電池切れになって交換用の単一形乾電池１がないとき、手元にある単二形乾電池２又は単三形乾電池３を代替え電池として使用することができる。
【００２４】
単一形乾電池１に代えて単二形乾電池２又は単三形乾電池３を電池収容ケース５に装填するには、電池直径及び電池高さの変化に対応する構造を備えている必要がある。表１は単一形乾電池１、単二形乾電池２、単三形乾電池３それぞれの電池直径及び電池高さの寸法を示すものである。単一形乾電池１を２個直列にして装填するようにした懐中電灯Ａに、例えば単三形乾電池３を２個直列配置して装填する場合の電池直径の差は１９．７ｍｍ、２個直列の高さの差は２２．０ｍｍとなる。
【００２５】
【表１】
2007005113.tif 000003
この単一形乾電池１と単二形又は単三形乾電池３との直径の寸法差を補うために、懐中電灯Ａには、直径変化対応手段と、高さの寸法差を補うために高さ変化対応手段とが設けられている。この直径変化対応手段及び高さ変化対応手段は、懐中電灯Ａが比較的安価な商品であり、手持ち使用するものであるため、大幅なコストアップが生じたり懐中電灯Ａが徒に大型化したりすることを避けることができる構造に構成する必要がある。また、単一形乾電池１を使用する懐中電灯Ａに単二形乾電池２又は単三形乾電池３を装填する状態は、あくまで応急の処置となるので、単二形乾電池２又は単三形乾電池３の装填を可能にするためにコストアップや大型化が生じることは極力抑えることが肝心である。以下に直径変化対応手段及び高さ変化対応手段の構成例について説明する。
【００２６】
図１に示す構造の懐中電灯Ａでは、単一形乾電池１、単二形乾電池２、単三形乾電池３のいずれの場合であっても、電池の中心軸は小型電球１２が配置された中心軸線上に保持される必要がある。図１に示す構成においては、電池収容ケース５内に直径変化対応手段とする電池装填筒１０を設け、単二乾電池２又は単三乾電池３を電池収容ケース５に装填する際にも、それらの単一乾電池１との直径寸法の差に応じて中心軸線上に単二乾電池２又は単三乾電池３が位置するように保持する構造としている。
【００２７】
図２は、前記電池装填筒１０を分解して示すもので、電池収容ケース５内に固定される内筒２１に外筒２２を回動可能に嵌め合せて構成されている。前記外筒２２は、その内周壁の円筒軸方向から円弧状に派生する４片の電池保持片３１が９０度間隔に設けられている。電池保持片３１は電池を保持できる強度と可撓性を有するように形成され、例えば、外筒２２をポリプロピレンの樹脂成形によって形成することにより所望の機能が得られる。この外筒２２は可撓性を有する電池保持片３１を内周壁に押し付けるようにして内筒２１に被せると、図３に示すように、各電池保持片３１は内筒２１に形成された４箇所の出入窓３２から内筒２１の筒内に突出する。
【００２８】
図３に示すように、内筒２１の外周上で外筒２２を回動させると、出入窓３２から内筒２１内に突出する電池保持片３１の突出量が変化するので、図３（ａ）に示すように、電池保持片３１の突出量が最も少ない状態にすると、内筒２１の中心に単一形乾電池１を収容できる空間が形成される。また、図３（ｂ）に示すように、各電池保持片３１の先端が単二形乾電池２の直径に対応する突出量になるように外筒２２を回動させると、４箇所の電池保持片３１によって単二形乾電池２を内筒２１の中心に保持する状態が得られる。更に、図３（ｃ）に示すように、外筒２２を回動させて出入窓３２から内筒２１内に突出する電池保持片３１の突出量が最大になるようにすると、４箇所の電池保持片３１の先端により内筒２１の中心に単三形乾電池３を保持する状態が得られる。
【００２９】
外筒２２は成形加工時において、それに形成された電池保持片３１の状態が図３（ｃ）に示すような断面状態となるように成形することにより、外筒２２を内筒２１上で反時計回りに回動させると、可撓性を有する電池保持片３１は出入窓３２から内筒２１の外周面と外筒２２の内周面との間に収容され、外筒２２を時計回りに回動させると、回動角度に応じて電池保持片３１の内筒２１内への突出量を変化させることができる。
【００３０】
上記電池装填筒１０の構成は、単二形乾電池２又は単三形乾電池３を収容する部位だけに必要な機能なので、図２に示すように、外筒２２は２個の単二形乾電池２又は単三形乾電池３を収容する長さに形成され、内筒２１の出入窓３２が形成された保持直径変化部位３３上に被せられる。従って、内筒２１の後端側は単一形乾電池１の直径に対応する内径の単一直径保持部位３４に形成されている。この単一直径保持部位３４には円筒軸方向に切欠き３５が設けられ、後述する負極接触端子１５の摺動移動路を形成している。
【００３１】
次に、単一形乾電池１と単二形乾電池２及び単三形乾電池３とで差が生じる高さ変化に対応させる高さ変化対応手段について説明する。図１に示す懐中電灯Ａでは、高さ変化対応手段は、負極接触端子１５の電池負極との接触位置を単一形乾電池１に対する接触位置と、単二形乾電池２及び単三形乾電池３に対する接触位置とに変化させる構造としている。
【００３２】
図１に示すように、負極接触端子１５は摺動連結部５１を介して接続板７に連結されており、常時はバネ５２による引っ張り付勢により図示仮想線位置に位置し、単一形乾電池１が電池収容ケース５に装填されることによりバネ５２の付勢に抗して後退し、図示する単一形乾電池１の負極に接触する位置に摺動移動する。単二形乾電池２又は単三形乾電池３を装填したときには、仮想線位置にある負極接触端子１５は破線位置に移動し、バネ５２の付勢圧によって負極に接触する。
【００３３】
前記電池装填筒１０は、電池収容ケース５から投光ケース６を離脱させたとき、電池収容ケース５から取り出し可能な構造として、電池を装填した電池装填筒１０を電池収容ケース５に挿入する構成とすることができる。
【００３４】
図４は、電池収容ケース５から取り出し可能な電池装填筒２０の構成を示すもので、電池収容ケース５から取り出した電池装填筒２０の外筒２２を握り、前端側に突出した内筒２１を回動させて内部に保持する電池直径の変化に対応できるようにしている。直径変化対応の構造は、前述した電池装填筒１０の構造と同一である。この電池装填筒２０を用いた懐中電灯Ｂについて、図４及び図５を参照して説明する。
【００３５】
単一形乾電池１を電池装填筒２０に装填したときには内筒２１を回動させる必要はないが、単二形乾電池２又は単三形乾電池３を装填するときには、装填する電池の直径に対応させて電池保持片３１が内筒２１内に突出するように内筒２１を回動させる。内筒２１を回動させると、図４に示すように、外筒２２の後端に設けられた係合片４１が内筒２１に形成された切欠き３５に対応する位置に移動する。前記係合片４１は、図５に示す高さ変化対応手段の別実施態様に対応する。
【００３６】
図５に示すように、単二形乾電池２又は単三形乾電池３を装填した電池装填筒２０を電池収容ケース５に挿入すると、接続板７に設けられた単二単三対応接触端子（小サイズ電池接触部材）４２に前記係合片４１が係合し、電池装填筒２０の挿入動作に伴う押圧によって単二単三対応接触端子４２を立ち上げる。単二単三対応接触端子４２は、常時は図示しないバネによる付勢により、実線で示すように接続板７に近い位置にあり、単一形乾電池１を装填した電池装填筒２０が挿入されたときには係合片４１と係合する状態とはならないが、単二形乾電池２又は単三形乾電池３を装填して係合片４１が接続板７と対応する位置に回動移動させた電池装填筒２０が挿入されると、係合片４１が付勢に抗して単二単三対応接触端子４２を破線で示す位置に立ち上げる。
【００３７】
尚、単二形乾電池２と単三形乾電池３との２個分の高さ寸法差は１ｍｍとなるが、その寸法差は単二単三対応接触端子４２それ自体の弾性変形と、単二単三対応接触端子４２に設けられた接触片４２ａの弾性変形とによって吸収できるので、単二単三対応接触端子４２の対上がり位置は単二形乾電池２の場合と単三形乾電池３の場合とで共通としている。
【００３８】
図６は、電池収容筒ケース５内に単一形〜単三形の各乾電池１，２，３それぞれを保持する別の実施態様を示すもので、内筒２６に被せた外筒２５を回動させることにより、内筒２６の４箇所に設けられた電池保持片２８の中心方向への突出量が変化するように構成した電池装填筒２４の構成を示している。
【００３９】
内筒２６は円筒形に形成され、４箇所の円筒軸方向に蝶番部２７を介して電池保持片２８が設けられている。前記蝶番部２７は特に機械的な蝶番構造を設けることなく、内筒２６をポリプロピレンの樹脂成形により形成する際に、蝶番部２７を薄肉形成してポリプロピレンのヒンジ効果を利用することにより簡易に蝶番構造を構成することができる。また、外筒２５は円筒形に形成され、内筒２６に設けられた電池保持片２８に対応する４箇所の位置に開口部２９を設け、開口部２７から電池保持片２８が露出するように内筒２６に被せるように構成されている。
【００４０】
内筒２６を固定した状態で外筒２５を回動させると、外筒２５の開口部２７の端で押圧された電池保持片２８は図示鎖線及び破線で示すように蝶番部２７から所要角度に折れ曲がるので、外筒２５の回動角度に応じて電池保持片２８の先端が電池装填筒２４の中心方向に変位する位置を決定することができ、電池装填筒２４の中心位置に単一形乾電池１、単二形乾電池２、単三形乾電池３を保持することができる。
【００４１】
以上説明した懐中電灯Ａ，Ｂは、２個の電池を直列接続したものであるが、３個以上の電池を直列接続した場合においても直径変化対応手段及び高さ変化対応手段を設けることにより同様に複数サイズの電池装填を可能とすることができる。
【００４２】
また、電池として乾電池を使用するものとしているが、電池として円筒形に形成されたニッケル−カドミウム蓄電池、ニッケル−水素蓄電池、リチウムイオン電池などを使用して懐中電灯を構成することもできる。また、発光器としては小型電球だけでなく、発光ダイオード（ＬＥＤ）を適用することも可能である。
【産業上の利用可能性】
【００４３】
以上の説明の通り本発明によれば、大幅な体積増加やコストアップをまねくことなく複数サイズの電池を使用することができる懐中電灯を構成することができる。これまでは懐中電灯は装填できる電池のサイズが決められていたために、電池切れが生じたときに交換用の電池がないと照明が遮断される事態に陥ることになるが、異なるサイズの電池が使用できることから応急の照明を確保することが可能となり、今後の懐中電灯の構成を示唆する構造を提供することができる。
【図面の簡単な説明】
【００４４】
【図１】第１の実施形態に係る懐中電灯の構成を示す断面図。
【図２】同上構成に適用した電池装填筒の構成を示す斜視図。
【図３】同上電池装填筒の直径変化対応動作を説明する断面図。
【図４】第２の実施形態に係る電池装填筒の構成を示す斜視図。
【図５】同上電池装填筒を適用した懐中電灯の構成を示す断面図。
【図６】電池装填筒の別実施態様を示す断面図。
【図７】従来技術に係る懐中電灯の構成を示す模式図。
【符号の説明】
【００４５】
Ａ，Ｂ  懐中電灯
１  単一形乾電池
２  単二形乾電池
３  単三形乾電池
５  電池収容ケース
６  投光ケース
７  接続板（接続手段）
１０，２０，２４  電池装填筒
１１  反射鏡
１２  小型電球（発光器）
１５  負極接触端子
１６  スイッチ接点
２１，２６  内筒
２２，２５  外筒
３１，２８  電池保持片（電池保持部材）
３２  出入窓
４１  係合片（高さ変化対応手段）
４２  単二単三対応接触端子（小サイズ電池接触部材）
５１  摺動連結部（高さ変化対応手段）
【図１】
2007005113.tif 000004
【図２】
2007005113.tif 000005
【図３】
2007005113.tif 000006
【図４】
2007005113.tif 000007
【図５】
2007005113.tif 000008
【図６】
2007005113.tif 000009
【図７】
2007005113.tif 000010